(57)【要約】【課題】ゴミや磨耗紛のクリーニングを好適に行えるデジタルスチルカメラ用のフォーカルプレンシャッタを提供すること。【解決手段】シャッタ地板１と補助地板２の間を中間板４で仕切り二つの羽根室を構成している。補助地板２の開口部２ａは、撮影画枠と略同じ大きさをしていて、カメラ内ではその背部に固体撮像素子２５が配置される。固体撮像素子２５の前面にはローパスフィルタ２７が取り付けられている。補助地板２の羽根室側の面には、開口部２ａの周囲に窪みが形成されていて、透明な薄板２３が、その窪み内にビス２４によって着脱可能に取り付けられている。シャッタ地板１には開口部１ａが形成され、中間板４にも類似な形状の開口部が形成されているが、それらの開口部は、薄板２３の外形形状よりも大きく、薄板２３を開口部１ａから撮影レンズ側に取り出し、クリーニングが行えるようになっている。【選択図】  図２
2004151540.tif 000002
【特許請求の範囲】
【請求項１】
撮影光路用の開口部を有しておりシャッタ羽根の羽根室側の面には該開口部を形成している少なくとも一組の対辺の周囲に窪みが形成されている第１地板と、前記開口部を塞ぎ且つ一部が前記窪み内に配置されていて前記羽根室側から前記第１地板に対して着脱可能に取り付けられている光透過性を有する薄板と、前記第１地板との間に少なくとも一つの羽根室を構成すると共にカメラ内では前記第１地板よりも撮影レンズ側に配置されており前記薄板よりも大きな形状をした撮影光路用の開口部を有している第２地板と、を備えていることを特徴とするデジタルスチルカメラ用フォーカルプレンシャッタ。
【請求項２】
前記薄板が、ビスによって前記第１地板に取り付けられていることを特徴とする請求項１に記載のデジタルスチルカメラ用フォーカルプレンシャッタ。
【請求項３】
前記薄板が、フィルタであることを特徴とする請求項１又は２に記載のデジタルスチルカメラ用フォーカルプレンシャッタ。
【発明の詳細な説明】
【０００１】
【発明の属する技術分野】
本発明は、デジタルスチルカメラに用いて好適なフォーカルプレンシャッタに関する。
【０００２】
【従来の技術】
デジタルスチルカメラに用いられるフォーカルプレンシャッタには、シャッタ羽根を一つだけしか備えていないものと、二つ備えたものとが知られている。そして、前者のタイプのものは、二つの地板の間に構成された羽根室内にシャッタ羽根を配置し、後者のタイプのものは、二つの地板の間を中間板で仕切って二つに羽根室を構成し、それらの羽根室にシャッタ羽根を一つずつ配置している。
【０００３】
また、何れのタイプのものであっても、各シャッタ羽根の基本構成は同じであり、通常は、一端を一方の地板に枢着された二つのアームと、それらに枢支された少なくとも１枚の羽根とで構成されている。そして、各々のアームに対する羽根の枢支構成は同じであり、アームに形成された孔と、羽根に形成された孔とを重ね、リベット部品である連結軸の先端をそれらの孔にアーム側から挿入し、その先端を、かしめ加工によって羽根に固着している。そのため、羽根と一体化された連結軸と、アームとは、相互に回転可能状態になっているが、各々１枚の羽根は、二つのアームに枢支されるため、アームが作動させられたときにだけ、枢支部における相互の回転が行われるようになっている。
【０００４】
また、上記のかしめ部は、羽根の形状を局部的に工夫することによって、アーム側とは反対側の面から突き出ないようにされているが、連結軸の頭部は、アームから突き出た状態になっている。そのため、各シャッタ羽根が作動するときには、特別な工夫を施していない限り、各連結軸の頭部が、二つの地板の羽根室側の面を摺動するようになっている。
【０００５】
ところで、デジタルスチルカメラの場合は、固体撮像素子が、フォーカルプレンシャッタの背部に配置されており、その固体撮像素子の前面には、透明なカバー板やフィルタ板が直接取り付けられていたり配置されたりしている。そして、それらのカバー板やフィルタ板などの表面にゴミが付着し、蓄積されていくと、良好な画像が得られなくなってしまうという問題点があるため、それらの表面を定期的にクリーニングする必要がある。
【０００６】
しかし、デジタルスチルカメラの場合には、固体撮像素子がシャッタユニットの背部に配置されていることから、そのような作業は決して容易ではない。そこで、撮影光学系とミラーボックスとの間と、ファインダ光学系とミラーボックスとの間に、夫々透明なカバー板を取り付けてしまい、ミラーボックス内の気密性を保つことによって、カメラ外部からのゴミの進入を防止するようにすることが知られている（特許文献１参照）。
【０００７】
ところが、上記したカバー板やフィルタ板の表面に付着するのは、カメラの外部から進入してきたゴミだけとは限らない。可動ミラーの作動やシャッタの作動に伴って発生した磨耗紛の場合もあるからである。また、シャッタの作動に伴って発生する磨耗紛は、羽根室外にあるシャッタ開閉駆動機構の作動によって発生するものと、羽根室内にあるシャッタ羽根の作動によって発生するものとがある。そして、シャッタ羽根の作動に起因する磨耗紛としては、上記の連結軸とアームとの摩擦によって発生するものと、連結軸の頭部と地板との摩擦によって発生するものが比較的多い。そのため、特許文献１に記載されている対策では十分とは言えず、シャッタユニットと固体撮像素子との間で対策を講じるのが最善となる。
【０００８】
ところで、シャッタ羽根の羽根室を構成している二つの地板や中間板には、略その中央部に被写体光路用の開口部を有している。そのため、カメラの外部から進入したゴミであろうが、可動ミラーやシャッタ構成部材の作動によって発生した磨耗紛であろうが、固体撮像素子へは、二つの地板のうち固体撮像素子側に配置された地板の開口部を通って飛来することになる。そのため、そのような飛来を阻止するためには、その開口部を透明板で塞いでしまうのが良策である。そして、これまでには、そのような観点から、その開口部を透明板で塞ぐようにしてしまうことは知られていないが、全く異なる観点から、そのような構成にすることは知られている（特許文献２参照）。
【０００９】
【特許文献１】
特開２０００−２４１８６９号公報
【特許文献２】
特開平４−３１０９３１号公報
【００１０】
【発明が解決しようとする課題】
上記の特許文献２に記載されているように、シャッタ羽根の羽根室を構成している地板のうち、固体撮像素子側に配置されている地板の開口部を透明板で塞ぐようにすれば、撮影には支障を与えずに済み、且つ固体撮像素子に向けて飛来するゴミや磨耗紛を阻止することが可能になる。しかしながら、そのような構成を採用すると、ゴミや磨耗紛は、その透明板に付着することになるため、今度はその透明板をクリーニングする必要が生じてくる。
【００１１】
ところが、その透明板をクリーニングするためには、その透明板が固体撮像素子側に配置された地板に取り付けられていることから、可動ミラーをアップ状態にし、且つシャッタ羽根を、撮影光路用の開口部から退避させた状態にしておいて行う必要がある。そして、その場合、ゴミや磨耗紛の付着が、ブロアーなどによって簡単且つ確実に除去できる程度のものであれば別であるが、しつこい汚れの場合には、透明板がカメラの奥の方に位置していることもあって、そのクリーニング作業は、かなり困難なものとなってくるし、ブロアーで舞い上がったゴミや磨耗紛が、再度、透明板に付着することもある。そして、中には、その透明板を交換した方がよい場合もある。
【００１２】
本発明は、このような問題点を解決するためになされたものであり、その目的とするところは、固体撮像素子側に配置された地板の撮影光路用の開口部を、光透過性を有する薄板で塞ぐようにし、その薄板を、撮影レンズ側から簡単に着脱することができるようにすることによって、その薄板のクリーニングや交換が容易に行えるようにしたデジタルスチルカメラ用のフォーカルプレンシャッタを提供することである。
【００１３】
【課題を解決するための手段】
上記の目的を達成するために、本発明のデジタルスチルカメラ用フォーカルプレンシャッタは、撮影光路用の開口部を有しておりシャッタ羽根の羽根室側の面には該開口部を形成している少なくとも一組の対辺の周囲に窪みが形成されている第１地板と、前記開口部を塞ぎ且つ一部が前記窪み内に配置されていて前記羽根室側から前記第１地板に対して着脱可能に取り付けられている光透過性を有する薄板と、前記第１地板との間に少なくとも一つの羽根室を構成すると共にカメラ内では前記第１地板よりも撮影レンズ側に配置されており前記薄板よりも大きな形状をした撮影光路用の開口部を有している第２地板と、を備えているようにする。
【００１４】
その場合、前記薄板が、ビスによって前記第１地板に取り付けられているようにすると、着脱作業が容易に行えるようになる。また、前記薄板は、透明な硬質ガラスであってもよいが、ローパスフィルタ，ＩＲカットフィルタなどのフィルタであっても差し支えない。
【００１５】
【発明の実施の形態】
本発明の実施の形態を、図示した実施例によって説明する。尚、本実施例は、本発明を、二つのシャッタ羽根を備えたデジタルスチルカメラ用のフォーカルプレンシャッタに適用したものである。そして、図１は、カメラに組み込んだとき、撮影レンズ側から見た平面図であって、撮影光路用の開口部を全開にした状態を示したものである。また、図２は、図１を適宜に切断して示した断面図である。更に、図３は、図１と同じようにして示した平面図であり、露光作動の終了直後の状態を示したものである。
【００１６】
先ず、フォーカルプレンシャッタのユニットの構成から説明する。図１に示されているように、シャッタ地板１は、その略中央部に長方形を横長にした撮影光路用の開口部１ａを有している。この開口部１ａは、一般のシャッタ地板における開口部より大きく形成されているが、その理由は後述の説明から明らかになる。図２に示されているように、シャッタ地板１の背面側、即ち撮影レンズとは反対側（以下、撮影者側という）には補助地板２が配置されていて、複数のビス３（図２では二つだけ示されている）によってシャッタ地板１に取り付けられている。そして、この補助地板２にも、その略中央部には、撮影光路用の開口部２ａが形成されているが、開口部１ａよりも小さく、撮影画枠と略同じ大きさをしているが、補助地板２のこのほかの構成については後述する。
【００１７】
また、シャッタ地板１と補助地板２との間は、シャッタ地板１に取り付けられた中間板４によって仕切られており、シャッタ地板１と中間板４の間に後羽根の羽根室を構成し、補助地板２と中間板４の間に先羽根の羽根室を構成している。そして、この中間板４にも、シャッタ地板１の開口部１ａと重なる位置に、開口部１ａと同じ大きさの開口部が形成されているが、中間板４は比較的薄い材料で製作されているので、図２においては、その開口部が明示されていない。
【００１８】
図１において、開口部１ａの左側の領域には、円弧状をした二つの長孔１ｂ，１ｃが形成されており、それらの下方端には、ゴム製であって平面形状がＣ字状をしている周知の緩衝部材５，６が取り付けられている。また、シャッタ地板１の撮影レンズ側の面には、軸１ｄ，１ｅ，１ｆが立設されている。そのほかにも明示されていない二つの軸が立設されていて、それらの二つの軸の先端には、ビス７，８によって支持板９が取り付けられているが、それらのビス７，８と支持板９は、図面を見やすくするために、二点鎖線で示してある。このほか、シャッタ地板１の羽根室側にも、軸１ｇ，１ｈ，１ｉ，１ｊが立設されている。
【００１９】
シャッタ地板１の上下位置に二つの孔１ｋ，１ｍが形成されているが、それらは、シャッタユニットをカメラ本体に取り付けるための孔である。そして、可動ミラーを備えた一眼レフカメラの場合には、このようなシャッタ地板１の前面に、開口部１ａを囲むようにしてミラーボックスが配置され、その内部には可動ミラーが設置され、被写体側には交換式の撮影レンズが取り付けられ、上方位置にはファインダ光学系が配置される。
【００２０】
シャッタ地板１の軸１ｄには、合成樹脂製の先羽根用駆動部材１０が回転可能に取り付けられていて、図示していない周知の先羽根用駆動ばねによって、時計方向へ回転するように付勢されている。そして、この先羽根用駆動部材１０は、被押動部１０ａと、駆動ピン１０ｂと、取付部１０ｃとを有していて、駆動ピン１０ｂは、シャッタ地板１の長孔１ｂを貫通して、羽根室内に突き出ている。また、取付部１０ｃは、周知であるため図示していないが、その内部に、ばねを介在させて鉄片部材を取り付けている。その鉄片部材は、特開２００２−５５３７９号公報にも記載されているように、支持板９に取り付けられている図示していない先羽根用電磁石に吸着されるようになっており、それによって、先羽根用駆動部材１０が、先羽根用駆動ばねの付勢力に抗して、露光作動開始位置に保持されるようになっている。
【００２１】
シャッタ地板１の軸１ｅには、合成樹脂製の後羽根用駆動部材１１が回転可能に取り付けられていて、図示していない周知の後羽根用駆動ばねによって、時計方向へ回転するように付勢されている。そして、この後羽根用駆動部材１１は、被押動部１１ａと、駆動ピン１１ｂと、取付部１１ｃとを有していて、駆動ピン１１ｂは、シャッタ地板１の長孔１ｃを貫通して、羽根室内に突き出ている。また、取付部１１ｃは、上記の取付部１０ｃに準じた形状をしていて、図示していないが、その内部には、支持板９に取り付けられた図示していない後羽根用電磁石に吸着される鉄片部材が、ばねを介在させて取り付けられている。
【００２２】
シャッタ地板１の軸１ｆには、合成樹脂製のセット部材１２が回転可能に取り付けられている。このセット部材１２は、押動部１２ａ，１２ｂと、被押動部１２ｃとを有していて、押動部１２ａは先羽根用駆動部材１０の被押動部１０ａを押し、押動部１２ｂは後羽根用駆動部材１１の被押動部１１ａを押すようになっている。また、このセット部材１２は、図示していない復帰ばねによって、反時計方向へ回転するように付勢されているが、図１は、その回転を図示していないストッパによって阻止され、初期位置に停止させられている状態を示したものである。
【００２３】
次に、先羽根と後羽根の構成を説明する。先羽根は、上記したように、補助地板２と中間板４との間に配置されていて、夫々の一端を軸１ｇ，１ｈに枢着された二つのアーム１３，１４と、それらの先端に向けて順に枢支された３枚の羽根１５，１６，１７で構成されており、最先端に枢支された羽根１７をスリット形成羽根としている。そして、周知のように、アーム１３に形成された孔には、先羽根用駆動部材１０の駆動ピン１０ｂが嵌合している。また、この先羽根は、アーム１３，１４が羽根１５〜１７よりも補助地板２側に配置されているため、既に説明したように、アーム１３，１４に羽根１５〜１７を枢支するための６個の連結軸は、それらの頭部を補助地板２側に突き出している。
【００２４】
他方、後羽根は、シャッタ地板１と中間板４の間に配置されていて、一端を軸１ｉ，１ｊに枢着された二つのアーム１８，１９と、それらの先端に向けて順に枢支された３枚の羽根２０，２１，２２で構成されており、それらの羽根のうち、アーム１８，１９の最先端に枢支された羽根２２をスリット形成羽根としている。そして、アーム１８に形成された孔には、後羽根用駆動部材１１の駆動ピン１１ｂが嵌合している。また、この後羽根の場合には、アーム１８，１９が羽根２０〜２２よりもシャッタ地板１側に配置されているため、アーム１８，１９に羽根２０〜２２を枢支するための６個の連結軸は、それらの頭部をシャッタ地板１側に突き出している。
【００２５】
本実施例の独特の構成は、上記のように補助地板２の開口部２ａが撮影画枠と略同じ大きさであるのに対し、シャッタ地板１の開口部１ａと中間板４の開口部の大きさが開口部２ａよりも大きく形成されており、補助地板２には、開口部２ａを塞ぐようにして透明な薄板２３が取り付けられていることである。即ち、補助地板２の羽根室側の面には、開口部２ａの周囲に窪みが形成されており、薄板２３は、その窪み内に配置されていて、その窪みの底面に、四つのビス２４によって着脱可能に取り付けられている。
【００２６】
この薄板２３は、その厚さ寸法が、先羽根の作動時に先羽根と接触しないようにするため、窪みの深さ寸法よりも小さくしてある。また、薄板２３の外形寸法は、実際には、シャッタ地板１の開口部１ａよりも（即ち、中間板４の開口部よりも）若干小さくて、四つのビス２４を取り外した状態では、開口部１ａから出し入れが簡単にできるようになっている。また、本実施例の薄板２３には、開口部２ａを塞いでいる領域の外側領域に六つの小さい孔２３ａが形成されているが、これらは着脱作業を行う際にピンセットでつまむための孔である。
【００２７】
カメラ内において、シャッタユニットの撮影者側には、補助地板２の開口部２ａに近接させて固体撮像素子２５が配置されている。この固体撮像素子２５は、図２から分かるように、ハウジング２６に埋設されていて、その前面にはローパスフィルタ２７が取り付けられている。そのため、薄板２３とローパスフィルタ２７の間にある開口部２ａの空間は気密性を有している。尚、固体撮像素子２５の前面には、ローパスフィルタ２７の代わりに、ＩＲカットフィルタが取り付けられることもあるし、ローパスフィルタとＩＲカットフィルタの両方の機能を有するフィルタが取り付けられることもある。
【００２８】
次に、本実施例の作動を説明する。図１は、バルブモード（Ｂ）での撮影中の状態を示したものである。従って、先羽根用駆動部材１０は、既に、図示していない先羽根用駆動ばねの付勢力によって時計方向へ回転し終わり、駆動ピン１０ｂが緩衝部材５に当接して、停止させられた状態になっている。そのため、先羽根の３枚の羽根１５〜１７は、開口部１ａを全開にした後、重畳状態となって開口部１ａの下方位置に格納されている。他方、後羽根用駆動部材１１は、取付部１１ｃに取り付けられている鉄片部材が、先羽根用電磁石に吸着保持されているため、後羽根用駆動ばねの付勢力による時計方向への回転を開始しておらず、後羽根の３枚の羽根２０〜２２は、未だ重畳状態のままで開口部１ａの上方位置に格納されている。従って、固体撮像素子２５は、被写体光にさらされている。
【００２９】
周知のように、バルブモードでの撮影は、撮影者がレリーズボタンを押しつづけることによって行われる。そこで、撮影を終了させるために、レリーズボタンの押圧が解かれると、後羽根用電磁石に対する通電が断たれ、後羽根用駆動部材１１に取り付けられている鉄片部材に対する吸着力が失われる。そのため、後羽根用駆動部材１１は、後羽根用駆動ばねの付勢力によって急速に時計方向へ回転させられる。
【００３０】
後羽根用駆動部材１１が時計方向へ回転すると、駆動ピン１１ｂが後羽根のアーム１８を時計方向へ回転させるため、後羽根の３枚の羽根２０〜２２は、隣接する羽根同士の重なりを小さくしつつ下方へ作動してゆき、スリット形成羽根２２の下端縁によって開口部１ａを閉じていく。そして、開口部１ａを完全に閉じた直後に、駆動ピン１１ｂが緩衝部材６に当接し、後羽根用駆動部材１１と後羽根の作動が停止する。図３は、このようにして、露光作動を終了した直後の状態を示したものである。そして、この状態で、撮影情報が記憶装置へ転送される。
【００３１】
このようにして撮影が終了すると、セット部材１２が、図１に示した初期位置から、被押動部１２ｃをカメラ本体側の部材によって押され、図示していない復帰ばねの付勢力に抗して時計方向へ回転させられる。それによって、セット部材１２は、先ず、押動部１２ａが被押動部１０ａを押すことによって、先羽根用駆動部材１０を、先羽根用駆動ばねの付勢力に抗して反時計方向へ回転させはじめ、その直後から、押動部１２ｂが被押動部１１ａを押すことによって、後羽根用駆動部材１１を、後羽根用駆動ばねの付勢力に抗して反時計方向へ回転させはじめる。
【００３２】
そのため、先羽根の３枚の羽根１５〜１７は、隣接する羽根同士の重なりを小さくしつつ上方へ作動し、後羽根の３枚の羽根２０〜２２は、隣接する羽根同士の重なりを大きくしつつ上方へ作動していく。そして、先羽根の３枚の羽根１５〜１７が展開状態となって開口部１ａを覆い、後羽根の３枚の羽根２０〜２２が重畳状態となって開口部１ａの上方位置に格納された状態になると、各駆動部材１０，１１の鉄片部材が夫々の電磁石に接触するが、その段階になるとセット部材１２の回転は停止され、セット作動が終了する。
【００３３】
次の撮影に際して、レリーズボタンを押すと、先ず、上記の各電磁石に通電される。それによって、各駆動部材１０，１１が、その鉄片部材を介して吸着保持されると、カメラ本体側の部材による被押動部１２ｃに対する押圧力が解かれ、セット部材１２は、復帰ばねの付勢力によってセット位置から反時計方向へ回転し、図１及び図３に示されているような初期位置へ復帰する。
【００３４】
そして、この撮影が通常のモードで行われた場合には、二つの電磁石に対する通電が、自動的に決められた時間間隔で順に解除される。そのため、先羽根用駆動部材１０と後羽根用駆動部材１１とは、順に時計方向への回転を開始し、スリット形成羽根１７，２２によって形成されるスリットにより、固体撮像素子２５の撮像面を露光していく。その後、先ず、先羽根の３枚の羽根１５〜１７が開口部１ａの下方へ退くと、駆動ピン１０ｂが緩衝部材５に当接して、先羽根用駆動部材１０と先羽根の作動が停止し、続いて、後羽根の３枚の羽根２０〜２２が開口部１ａを完全に覆うと、駆動ピン１１ｂが緩衝部材６に当接して、後羽根用駆動部材１１と後羽根の作動が停止し図３の状態になる。そして、撮影情報が記憶装置に転送されると、上記のようにしてセット作動が行われる。
【００３５】
また、その撮影がバルブモードで行われた場合には、撮影中、レリーズボタンを押しつづけることになるが、その間は後羽根用電磁石に対する通電は断たれない。従って、先羽根用電磁石に対する通電が断たれて、先羽根用駆動部材１０と先羽根とが作動を開始し、その後、上記のようにして、それらの作動が停止した後も、先羽根用駆動部材１１は、後羽根用駆動ばねの付勢力による時計方向の回転を開始しない。そのため、固体撮像素子２５の撮像面は、露光されつづけていることになる。そのときの状態が、上記の図１に示された状態であり、以後の作動については、既に説明した通りである。
【００３６】
ところで、このような一連の作動中に、羽根室外においては、先羽根用駆動部材１０や後羽根用駆動部材１１など開閉駆動機構の作動に関連して磨耗紛が発生する。また、可動ミラーの駆動機構はミラーボックスの外側に取り付けるのが普通であるから、それらの駆動機構からも磨耗紛が発生する。そして、それらの磨耗紛は、長孔１ｂ，１ｃなどから各羽根室内に進入してくる。また、ミラーボックス内に配置されている可動ミラーの作動に関連しても磨耗紛は発生するが、そのような磨耗紛は、開口部１ａから羽根室内に進入してくる。更に、撮影レンズの交換時にミラーボックスに入ったゴミも、開口部１ａから羽根室内に進入してくる。更に、既に説明したように、羽根室内においては、シャッタ羽根の作動に伴って、シャッタ羽根の構成部材同士間、及びシャッタ羽根と地板との間で、磨耗紛を発生させる。
【００３７】
そして、羽根室内で発生したり、羽根室内に進入してきた磨耗紛やゴミは、透明な薄板２３の羽根室側の面に付着し、それが蓄積されていくことになる。そのため、薄板２３の表面を適当な時機にクリーニングする必要が生じるが、その場合には、カメラを分解することなく、シャッタを図１に示されているようなバルブ撮影状態にしておいて行う。即ち、このときには、可動ミラーはアップ状態となっていて、シャッタ羽根も撮影光路を閉鎖していないから、交換レンズを外しておけば、適宜な清掃具をミラーボックス内に挿入し、薄板２３の表面をクリーニングすることが可能となる。
【００３８】
しかしながら、薄板２３の表面に付着している磨耗紛やゴミの中には、吸引器などによっては簡単に取り除けないものもある。しかも、小さなミラーボックスの奥での作業は照明も十分でないことから極めて困難である。そのような場合、本実施例においては、ドライバーを挿入してビス２４を外し、薄板２３をカメラから取り出してクリーニングする。そして、クリーニング後は再度補助地板２に取り付けるし、交換した方がよい場合には、新しい薄板２３を取り付けるようにする。
【００３９】
尚、本実施例においては、薄板２３を取り付けるのにビス２４を用いているが、接着テープ等によって取り付けるようにしても差し支えない。ただし、その場合には、薄板２３を剥がしやすいように接着しておく必要がある。また、本実施例においては、開口部１ａと薄板２３が略同じ大きさをしているが、開口部１ａの大きさは、薄板２３の大きさよりも小さくならなければよく、ミラーボックスとの兼ね合いもあるが、大きければ大きいほど薄板２３のクリーニングはし易くなるし、取り外しや取り付けもし易くなる。
【００４０】
また、上記の実施例においては、補助地板２の開口部２ａを形成している四辺の全ての周囲にわたって窪みが形成され、薄板２３も、その窪みの略全領域にわたって接触する大きさの形状をしているが、薄板２３は、開口部２ａを塞ぐようにして補助地板２に取り付けられていればよいわけであるから、開口部２ａを形成している四辺のうち、少なくとも対向している一組の二辺の外側にだけ窪みを形成し、その二つの窪み内に薄板を取り付けるようにしても差し支えない。
【００４１】
また、上記の実施例におけるシャッタユニットは、駆動部材１０，１１やセット部材１２などのシャッタ開閉機構を取り付けているシャッタ地板１を、撮影レンズ側にしてカメラ内に配置されている。しかしながら、デジタルスチルカメラの場合には、そのようなシャッタ地板１を撮影者側にして配置することもある。従って、シャッタ地板１を撮影者側にして配置する場合には、シャッタ地板１の羽根室側の面に窪みを設け、その窪みの中に薄板２３を取り付けることになるし、本実施例における開口部１ａの大きさと開口部２ａの大きさとの関係が逆になることは言うまでもない。
【００４２】
また、上記の実施例においては、固体撮像素子２５の前面にローパスフィルタ２７を取り付けている。しかし、本発明は、このような特定の構成に限定されるものではない。また、上記の実施例においては、薄板２３は、透明な硬質板であるが、本発明の薄板は、そのような透明なものに限定されない。固体撮像素子２５の前面には、フィルタを取り付けずに透明なカバー板を取り付けたものがあるが、そのような場合には、上記の薄板２３が、ローパスフィルタなどのフィルタ板であっても差し支えない。磨耗紛やゴミに対して果たす役割は、透明な薄板の場合と同じである。
【００４３】
更に、上記の実施例におけるフォーカルプレンシャッタは、先羽根と後羽根と称した二つのシャッタ羽根を備えているが、既に説明したように、デジタルスチルカメラに採用されるフォーカルプレンシャッタの中には、シャッタ羽根を一つだけしか備えていないものもある。本発明は、そのようにシャッタ羽根を一つだけしか備えていないフォーカルプレンシャッタにも適用することが可能である。
【００４４】
【発明の効果】
以上のように、本発明は、固体撮像素子側に配置される地板の羽根室側において、撮影光路用の開口部の縁に窪みを形成し、そこに、該開口部を塞ぐ光透過性を有する薄板を着脱可能に取り付けると共に、撮影レンズ側に配置される地板の撮影光路用の開口部を、薄板の外形形状よりも大きく形成するので、その薄板を、撮影レンズ側から簡単に着脱することが可能となって、そこに付着している磨耗紛やゴミのクリーニングが容易となり、必要に応じて薄板の交換も行えるという効果がある。
【図面の簡単な説明】
【図１】カメラに組み込んだとき、撮影レンズ側から見た実施例の平面図であって、撮影光路用の開口部を全開にした状態を示したものである。
【図２】図１を適宜に切断して示した断面図である。
【図３】図１と同じようにして示した実施例の平面図であり、露光作動の終了直後の状態を示したものである。
【符号の説明】
１                              シャッタ地板
１ａ，２ａ                      開口部
１ｂ，１ｃ                      長孔
１ｄ，１ｅ，１ｆ，１ｇ，１ｈ，１ｉ，１ｊ  軸
１ｋ，１ｍ，２３ａ              孔
２                              補助地板
３，７，８，２４                ビス
４                              中間板
５，６                          緩衝部材
９                              支持板
１０                            先羽根用駆動部材
１０ａ，１１ａ                  被押動部
１０ｂ，１１ｂ                  駆動ピン
１０ｃ，１１ｃ                  取付部
１１                            後羽根用駆動部材
１２                            セット部材
１２ａ，１２ｂ                  押動部
１２ｃ                          被押動部
１３，１４，１８，１９          アーム
１５，１６，１７，２０，２１，２２  羽根
２３                            薄板
２５                            固体撮像素子
２６                            ハウジング
２７                            ローパスフィルタ
【図１】
2004151540.tif 000003
【図２】
2004151540.tif 000004
【図３】
2004151540.tif 000005